(57)【特許請求の範囲】
【請求項１】
ワークトップの側断面全体を覆う略コ字状の端部処理材を配設し、この端部処理材はその上部に掛かり片を、下部には水平片を設けると共に、その内方側に断面略Ｌ字状の取り付け具を固着して形成し、取り付け具の水平取付片部には調節ねじと固定ねじを設け、かつ前記掛かり片をワークトップの上面に引っかけて取り付け具の下部水平取付片部側から調節ねじを締め上げ、ワークトップを調節ねじと掛かり片とによって挟み込み、固定ねじを締め付けてワークトップに固定させるとともに端部処理材の下部水平片をキャビネットに載置した厨房家具。
【請求項２】
ワークトップの側断面全体を覆う略コ字状の端部処理材を配設し、この端部処理材はその上部に掛かり片を、下部には水平片を設け、かつ前記掛かり片をワークトップの上面に引っかけて下部水平部側から固定ねじを締め付けることによりワークトップに固定させるとともに端部処理材の下部水平片をキャビネットに載置した厨房家具。
【請求項３】
端部処理材の水平片から調節ねじを締め付けて掛かり片をワークトップの上面に圧接させた請求項２に記載の厨房家具。
【発明の詳細な説明】
【０００１】
【産業上の利用分野】
本発明は、流し台、システムキッチン等の厨房家具に関するものである。
【０００２】
【従来の技術】
従来のこの種の厨房家具は、図４に示すように、ワークトップ１の側断面にこの側断面全体を覆う端部処理材２を配設し、固定ねじ３により直接ワークトップ１に固着してあった。
【０００３】
【発明が解決しようとする課題】
このような従来の構成ではワークトップ１の側断面全体を覆う端部処理材２を固着する固定ねじ３が直接露出する構成であるので外観のインテリア性を著しく損ない、システム全体のイメージを低下させるという課題があった。
【０００４】
本発明はこのような課題を解決するもので、固定用ねじが直接露出することがなく、外観のインテリア性を高め、システム全体のイメージを高めることを第１の目的とし、さらに取付構成を簡素化してコストダウンを図ることを第２の目的とし、そして水密性を確保することを第３の目的としたものである。
【０００５】
【課題を解決するための手段】
本発明の厨房家具は、第１の目的を達成するため、ワークトップの側断面全体を覆う略コ字状の端部処理材を配設し、この端部処理材はその上部に掛かり片を、下部には水平片を設けると共に、その内方側に断面略Ｌ字状の取り付け具を固着して形成し、取り付け具の水平取付片部には調節ねじと固定ねじを設け、かつ前記掛かり片をワークトップの上面に引っかけて取り付け具の下部水平取付片部側から調節ねじを締め上げ、ワークトップを調節ねじと掛かり片とによって挟み込み、固定ねじを締め付けてワークトップに固定させるとともに端部処理材の下部水平片をキャビネットに載置した構成としてある。
【０００６】
また第２の目的を達成するためワークトップの側断面全体を覆う略コ字状の端部処理材を配設し、この端部処理材はその上部に掛かり片を、下部には水平片を設け、かつ前記掛かり片をワークトップの上面に引っかけて下部水平部側から固定ねじを締め付けることによりワークトップを挟み込んで該ワークトップに固定させるとともに端部処理材の下部水平片をキャビネットに載置した構成としてある。
【０００７】
さらに第３の目的を達成するため、上記第２の構成に加え、端部処理材の水平片から調節ねじを締め付けてワークトップの上面に掛かり片を圧接させた構成としてある。
【０００８】
【作用】
本発明の厨房家具は、第１の構成によって端部処理材の掛かり片はワークトップの上面に圧接させることができ、隙間なく取り付けることができ、しかも下部水平取付片部側から締め付けた固定ねじとによってワークトップに取付固定されるから、ワークトップの側断面全体を覆う端部処理材に固定ねじが露出する等のことがなくなるものである。
【０００９】
また第２の構成によって端部処理材は掛かり片と端部処理材自体の下部水平片部側から締め付けた固定ねじによってワークトップに取付固定されるから、ワークトップの側断面全体を覆う端部処理材に固定ねじが露出する等のことがなくなり、しかも取り付け具等の部品を追加することなくワークトップへの取付固定ができるようになる。
【００１０】
さらに第２の構成に加え、第３の構成とすることによって端部処理材の掛かり片はワークトップの上面に圧接させることができ、隙間なく取り付けることができる。
【００１１】
【実施例】
以下、本発明の一実施例について、図１、図２を参照しながら説明する。
【００１２】
図１、図２において、４は厨房家具で、キャビネット５の上面にワークトップ６を載置している。７はワークトップ６の裏面固着された補強部材である。８は端部処理材で、断面略コ字状でワークトップ６の側断面全体を覆う形状としてあり、上部には掛かり片９を、下部には水辺片１０を形成し、その内方側に断面略Ｌ字状の取り付け具１１の垂直面１２を接着剤または溶接等により強固に固着し、取り付け具１１の水平取付片部１３には調節ねじ１４、固定ねじ１５を設けている。
【００１３】
上記構成において、ワークトップ６の側断面全体を覆う略コ字状の端部処理材８の内方側に固着された取り付け具１１の水平取付片部１３に設けた調節ねじ１４を締め上げると、端部処理材８はワークトップ６をこの調節ねじ１４と掛かり片９とによって挟み込む。そして固定ねじ１５を締め付けてワークトップ６に固定すれば取付が完了する。
【００１４】
これによって、ワークトップ６の側断面全体を覆う端部処理材８には固定ねじ１５が露出することがないので、外観のインテリア性を高め、システム全体のイメージを高めることができる。また端面処理材８の掛かり片９は調節ねじ１４の締め付けによってワークトップ８の上面に圧接し、水密性が確保される。
【００１５】
なお、このようにして端面処理材８を取り付けたワークトップ６は端面処理材８の下部水平片１０をキャビネット５の上面に載置して厨房家具４を構成する。
【００１６】
図３は他の実施例を示し、この実施例では、ワークトップ６の側断面全体を覆う略コ字状の端部処理材１６の上部に掛かり片１７を、下部に水平片１８を設け、その下部水平片１８には調節ねじ１９と固定ねじ２０を配設し、調節ねじ１９によりワークトップ６を挟み込み、固定ねじ２０によりワークトップ６に取付け固定してある。なおこの実施例の場合は、キャビネット５にはワークトップ６載置面に前記調節ねじ１９と固定ねじ２０の逃がし部となる欠所２１を設けてあり、キャビネット５へのワークトップ６の載置が支障なく行えるように配慮してある。
【００１７】
この実施例の場合も先の実施例と同様ワークトップ６の側断面全体を覆う端部処理材１６には固定ねじ２０が露出することがないので、外観のインテリア性を高め、システム全体のイメージを高めることができるとともに、取り付け具１１のような部品を別途必要としないので構成の簡素化が図れる利点がある。
【００１８】
【発明の効果】
以上の実施例の説明より明らかなように本発明の第１の構成によれば、端部処理材の掛かり片はワークトップの上面に圧接させることができるので、水密性が向上し安心して使用することができ、しかも端部処理材は掛かり片と下部水平取付片部側から締め付けた固定ねじとによってワークトップに取付固定されるから、ワークトップの側断面全体を覆う端部処理材に固定ねじが露出する等のことがなくなり、外観のインテリア性を高め、システム全体のイメージを高めることができる。
【００１９】
また第２の構成によれば、端部処理材は掛かり片と端部処理材自体の下部水平片部側から締め付けた固定ねじによってワークトップに取付固定されるから、ワークトップの側断面全体を覆う端部処理材に固定ねじが露出する等のことがなくなり、外観のインテリア性を高め、システム全体のイメージを高めることができるとともに、さらに取り付け具等の部品を追加することなくワークトップへの取付固定ができ、構成の簡素化によるコストダウンが図れる。
【００２０】
さらに第２の構成に加え、第３の構成とすることによって端部処理材の掛かり片はワークトップの上面に圧接させることができるので、水密性が向上し安心して使用することができる。
【図面の簡単な説明】
【図１】  本発明の一実施例における厨房家具の要部を示す断面図
【図２】  同厨房家具の外観斜視図
【図３】  同他の実施例における厨房家具の要部を示す断面図
【図４】  従来の厨房家具を示す外観斜視図
【符号の説明】
６  ワークトップ
８  端部処理材
９  掛かり片
１０  水平片
１１  取り付け具
１３  水平取付片部
１４  調節ねじ
１５  固定ねじ
【図１】
0003642088.tif 000002
【図２】
0003642088.tif 000003
【図３】
0003642088.tif 000004
【図４】
0003642088.tif 000005